(57)【要約】【課題】ユーザ個人に対応する広告を配信することができる配信システムを提供する。【解決手段】サーバ（３）により、デジタル放送の画像データに、電子透かしを用いて特定のユーザに対する特定情報を埋め込む放送画像作成部（３２）を備える。また、放送画像作成部（３２）は、広告等の特定情報をコンテンツデータベース（３２０）から読み出した画像データの空き領域に埋め込む。また、行動ターゲティングにより前記特定のユーザに対する特定情報を選択する広告選択部（３４）を更に備えることを特徴とする。【選択図】  図２
2010050549.tif 000002
【特許請求の範囲】
【請求項１】
サーバにより、
デジタル放送の画像データに、電子透かしを用いて特定のユーザに対する特定情報を埋め込む画像作成手段を備える
ことを特徴とする配信システム。
【請求項２】
前記画像作成手段は、前記特定情報を前記画像データの空き領域に埋め込む
ことを特徴とする請求項１に記載の配信システム。
【請求項３】
前記特定のユーザに対する特定情報を選択する特定情報選択手段を更に備える
ことを特徴とする請求項１又は２に記載の配信システム。
【請求項４】
ユーザの視聴履歴を含む行動履歴データの解析を行う視聴パターン認識手段を更に含む
ことを特徴とする請求項１から３のいずれか１項に記載の配信システム。
【請求項５】
前記視聴パターン認識手段は、更に各ユーザの電子番組表の視聴履歴によりグループ分けを行い、
前記特定情報選択手段は、前記グループに対応した広告を選択する
ことを特徴とする請求項１から４のいずれか１項に記載の配信システム。
【請求項６】
前記特定情報を復号化する復号化手段を備え、
前記特定情報を前記画像データの空き領域に描画する特定情報描画手段を備える端末を含む
ことを特徴とする請求項２から５のいずれか１項に記載の配信システム。
【請求項７】
前記端末は、
ユーザの行動履歴データを抽出する履歴抽出手段を更に備え、
前記行動履歴データを前記サーバに送信する
ことを特徴とする請求項６に記載の配信システム。
【請求項８】
前記履歴抽出手段は、前記特定情報の視聴時間を抽出する
ことを特徴とする請求項７項に記載の配信システム。
【請求項９】
請求項１から８のいずれか１項に記載の配信システムのサーバ。
【請求項１０】
請求項６から８のいずれか１項に記載の配信システムの端末。
【請求項１１】
デジタル放送の画像データに、電子透かしを用いて、特定のユーザに対する特定情報を埋め込む
ことを特徴とする配信方法。
【請求項１２】
前記特定情報を復号化し、
前記特定情報を画像データの空き領域に描画し、
ユーザの行動履歴データを抽出し、
前記行動履歴データを前記サーバに送信する
ことを特徴とする請求項１１に記載の配信方法。
【発明の詳細な説明】
【技術分野】
【０００１】
本発明は配信システム、配信システムのサーバ、配信システムの端末、配信方法、特にデジタル放送に特定情報を配信する配信システム、配信システムのサーバ、配信システムの端末、配信方法に関する。
【背景技術】
【０００２】
我が国の衛星・地上デジタル放送は、縦横比が１６：９の１０８０ｉ（１９２０×１０８０ｄｏｔ）のＨＤ解像度で、かなり高いビットレートで表示するように送信されている。このため、非常に高精細な質の高い画像を、手軽に視聴することができる。
また、我が国の衛星・地上デジタル放送では、文字データをデジタル放送のＴＳ（トランスポート・ストリーム）データに含めることができる。
さらに、我が国の衛星・地上デジタル放送では双方向性についても考慮されており、テレビジョン受信機やテレビジョンのＨＤＤレコーダ等には、電話モデムまたは、イーサーネットといったネットワーク端子があるため、ある程度のインタラクティブ（双方向）機能を使用することができる。
この文字放送においては、画面制御により、天気予報、交通情報、通販案内、商品広告、
株式動向、ギャンブル等のデータ、有料放送の案内、クイズ参加等インタラクティブ表示、受信料支払い登録といった機能を用いることができる。
このように、複雑で精緻な我が国の衛星・地上デジタル放送のシステム、特に無料の放送を支えているのは、テレビコマーシャルに代表される番組に挿入される広告画像である。
【０００３】
一方、近年、インターネット広告料が、雑誌等の広告料を超えている。これは、インターネット広告をクリックするユーザは、関心ある情報についてクリックを行っているため、効率が高いせいである。
しかしながら、我が国のテレビジョン放送の場合は、主に番組の放送時間帯や番組の内容等により、厳密に広告とスポンサーとの関係を規定した上で、想定される視聴者に放送する、いわゆる「プッシュ」型の広告としての広告画像の送信を行っていた。このようなテレビジョン放送の広告は、個人の好みが多様化し、生活時間帯についても一括りにできなくなった現代社会には合わなくなってきている。
このため、表示装置からインターネットに接続し、インターネット広告のような効率的な広告収入を得ることが求められている。
【０００４】
従来のインターネット接続が可能な情報配信装置としては、特許文献１を参照すると、複数の情報データより配信すべき情報データを検索し、マルチウィンドウ機能を有する受信機を備えるものが記載されている（以下、従来技術１とする。）。
従来技術１の情報配信装置は、放送局や様々なコンテンツ供給者をまたがって関連番組やＣＭを組み合わせて１つのマルチビュー番組として編成し、受信機における提示情報とともに配信することで、選局や画面レイアウトの指定等の操作からユーザを解放し、簡単に関連した複数の番組や情報を同時に楽しむことが可能になるという効果が得られる。
【０００５】
【特許文献１】特開２００３−１０１９８３号公報
【発明の開示】
【発明が解決しようとする課題】
【０００６】
しかしながら、従来技術１の情報配信装置は、ユーザ個人に対応する広告を配信することはできないという問題があった。
【０００７】
本発明は、このような状況に鑑みてなされたものであり、上述の課題を解消することを課題とする。
【課題を解決するための手段】
【０００８】
本発明の配信システムは、サーバにより、デジタル放送の画像データに、電子透かしを用いて特定のユーザに対する特定情報を埋め込む画像作成手段を備えることを特徴とする。
本発明の配信システムは、前記画像作成手段は、前記特定情報を前記画像データの空き領域に埋め込むことを特徴とする。
本発明の配信システムは、前記特定のユーザに対する特定情報を選択する特定情報選択手段を更に備えることを特徴とする。
本発明の配信システムは、ユーザの視聴履歴を含む行動履歴データの解析を行う視聴パターン認識手段を更に含むことを特徴とする。
本発明の配信システムは、前記視聴パターン認識手段は、更に各ユーザの電子番組表の視聴履歴によりグループ分けを行い、前記特定情報選択手段は、前記グループに対応した広告を選択することを特徴とする。
本発明の配信システムは、前記特定情報を復号化する復号化手段を備え、前記特定情報を前記画像データの空き領域に描画する特定情報描画手段を備える端末を含むことを特徴とする。
本発明の配信システムは、前記端末は、ユーザの行動履歴データを抽出する履歴抽出手段を更に備え、前記行動履歴データを前記サーバに送信することを特徴とする。
本発明の配信システムは、前記履歴抽出手段は、前記特定情報の視聴時間を抽出することを特徴とする。
本発明の配信システムのサーバは、前記配信システムのサーバであることを特徴とする。
本発明の配信システムの端末は、前記配信システムの端末であることを特徴とする。
本発明の配信方法は、デジタル放送の画像データに、電子透かしを用いて、特定のユーザに対する特定情報を埋め込むことを特徴とする。
本発明の配信方法は、前記特定情報を復号化し、前記特定情報を画像データの空き領域に描画し、ユーザの行動履歴データを抽出し、前記行動履歴データを前記サーバに送信することを特徴とする。
【発明の効果】
【０００９】
本発明によれば、画面の空き領域にユーザＩＤに対応した広告情報を電子透かしにより配信することで、ユーザ個人に対応する広告を配信することができる配信システムを提供することができる。
【発明を実施するための最良の形態】
【００１０】
＜実施の形態＞
〔システム構成〕
まず、図１を参照して、本発明の実施の形態に係る広告システムＸのシステム構成について説明する。
広告システムＸは、放送番組と広告を受信する端末１と、主に広告である特定情報を配信するサーバ３と、放送の番組等を配信する放送配信装置６と、広告や視聴履歴等を送受信するためのネットワーク５と、アンテナ７とから構成される。端末１とサーバ３とは、インターネット等のネットワーク５で接続される。また、放送配信装置６からの放送電波は、端末１がアンテナ７を介して受信する。
端末１は、大型の平面テレビジョン受信機、ＢＤ／ＤＶＤレコーダ内蔵テレビジョン受信機、ＢＤ／ＤＶＤプレーヤー、セットトップボックス、ネットワーク映像配信端末、ビデオゲーム機、ＰＣ（パーソナル・コンピュータ）、携帯電話、ＰＤＡ等のテレビジョン放送を受信でき、ネットワークに接続可能な端末である。
端末１は、電子番組表の取得機能や録画機能を備えていてもよいレコーダ部１０が、表示部４０と、入力部６０とが、無線ＬＡＮやワイヤレスＵＳＢやＢｌｕｅｔｏｏｔｈ（登録商標）や赤外線通信やＨＤＭＩ／ｉ−ｌｉｎｋ等の有線接続等で接続している。
表示部４０は、液晶ディスプレイ・パネルや有機／無機ＥＬディスプレイ・パネルやＰＤＰ（プラズマ・ディスプレイ・パネル）やＦＥＤ（フィールド・エミッション・ディスプレイ）パネルやＬＥＤ（ライト・エミッション・ダイオード）アレイやＨＭＤ（ヘッド・マウント・ディスプレイ）やビデオ・プロジェクター等である。
入力部６０は、リモコンやマウスや加速度検出デバイス等のポインティングデバイスや有線／ワイヤレスキーボード等である。
なお、レコーダ部１０と、表示部４０と、入力部６０とは、それぞれが分離して存在してもよいし、一体型に構成されていてもよい。すなわち、レコーダ部１０は、表示部４０に内蔵されていてもよい。同様に、入力部６０は、表示部４０に備え付けられているような構成されることも可能である。
【００１１】
サーバ３は、複数のサーバ群からなっていてもよい、例えばＷｉｎｄｏｗｓ（登録商標）サーバ２００８やＬｉｎｕｘ（登録商標）を備えるサーバであり、本発明の実施の形態に係る広告配信方法を実行する。
ネットワーク５はインターネット等のＷＡＮ、無線ＬＡＮ、有線ＬＡＮ、電話網、携帯電話網、ＰＨＳ網、ＷｉＭＡＸ、ｃＬｉｎｋ、電灯線ネットワーク、光ファイバーネットワーク、専用線、その他のネットワーク網であり、サーバ３と端末１とを接続する。また、ネットワーク５は、例えばインターネットに接続できるようになっていることが望ましい。
放送配信装置６は、電波塔を備えた放送局のシステムや、有線放送やＣＡＴＶ事業者の配信装置や、ミニコミ局の配信装置や、構内放送設備や、その他の一般的な放送設備であり、光ファイバー等や電波やＩＰネットワークやデジタル伝送された放送の画像データを受信してＡＲＩＢ（社団法人電波産業会）の規格等の放送電波にて、主に地上デジタル放送の規格であるＩＳＤＢ−Ｔや衛星放送の規格であるＩＳＤＢ−Ｓによるデジタル放送を行う。
アンテナ７は、放送配信装置６からの放送電波を送信するためのアンテナや放送塔等である。
なお、端末１は同様の構成の端末１が、後述する契約を結んだ者の台数分以上に、複数存在する。
また、サーバ３が直接ネットワーク５のＩＰ網等を利用して、通常の放送を端末１に配信するＩＰ放送を行うように構成してもよい。
このように、広告システムＸは、通常の放送局、ＣＡＴＶ、構内放送、再変換放送等に使用することができる。
【００１２】
〔サーバ３の制御構成〕
次に、図２を参照して、サーバ３の制御構成について説明する。上述したように、サーバ３は、複数の専用機やＰＣ／ＡＴ互換機等であるサーバで構成することができる。サーバ３は、ユーザ向けの特定情報を配信するためのサーバである。以下、特定情報として広告の情報を用いる例について説明する。
ゲートウェイ部３１は、ネットワーク５と接続するゲートウェイ（ルータ）となるサーバであり、放送用の画像データを放送配信装置６に送信するサーバである。また、ゲートウェイ部３１は、ロードバランシング、ＩＰマスカレード、ファイアーウォール等の機能を備えている。さらに、ゲートウェイ部３１は、ＷＷＷウェブサーバやＦＴＰサーバのようなサービス（デーモン）を実行しており、各種設定を行うこともできる。また、ゲートウェイ部３１はＩＰ放送の送信を行うように構成されていてもよい。
放送画像作成部３２（画像作成手段）は、専用機やＰＣ／ＡＴ互換機等であるサーバであり、放送スケジュールに従って、コンテンツデータベース３２０と、広告データベース３２５を用いて放送の画像データを作成するサーバである。
ユーザ認証部３３は、端末１の認証を行うサーバである。このユーザ認証は、端末１のＢ−ＣＡＳ（株式会社ビーエス・コンディショナルアクセスシステムズ）が提供する限定受信用のカードの番号を、ネットワーク５を介して受信し、ユーザデータベース３３０を参照して行うことができる。また、ユーザ名とパスワード等による認証にも対応することができ、クレジットカード認証やその他のユーザ認証にも対応する。このために、ユーザ認証部は、ユーザ認証を行う際に用いる秘密鍵を記憶している。
広告選択部３４（特定情報選択手段）は、広告データベース３２５から広告画像を選択、又は広告画像を作成して広告データベース３２５に記憶するサーバである。
視聴カウント部３５は、ユーザが視聴した広告の時間や数やウェブブラウザによるウェブサイトへのアクセスを計測して、広告料や広告の実効性を算出するサーバである。また、視聴カウント部３５は、各ユーザへの広告視聴におけるインセンティブの支払いデータを作成することもできる。
視聴パターン認識部３６（視聴パターン認識手段）は、各端末１において履歴抽出部１７０により抽出された視聴履歴データを用いて、後述するユーザの視聴パターンを分析する行動ターゲティングを行うサーバである。
画像認識部３７は、コンテンツデータベース３２０と広告データベース３２５に記憶された画像データから、画像認識部１５０（図３）のように画像認識を行う部位である。この画像認識に関しては、ＳＶＭ（サポート・ベクター・マシン）や多次元ＤＰ（ダイナミック・プログラミング）等のアルゴリズムにて特徴量を抽出して、高速な画像認識を行う。また、画像認識において、アスペクト比の検出、人物・物体の検索、人物の動き検索、画像の種類検索（実写画像、ＣＧ、２Ｄアニメ画像等）、ＣＭ検索、音声認識、文字認識等を行うことができる。また、各端末１において画像認識する画像について指示をし、分散処理を行って各端末が画像認識を行ったデータを取得してチェックすることもできる。さらに、自然言語処理等により、画像データに関連づけられたテキストデータから、画像の特徴を抽出することもできる。
【００１３】
コンテンツデータベース３２０と、広告データベース３２５と、ユーザデータベース３３０とは、ＭｙＳＱＬやＰｏｓｔｇｒｅＳＱＬのようなＳＱＬデータベースエンジン等を用いたデータベースであり、各種データを記憶する。
コンテンツデータベース３２０は、放送する番組の画像データ、文字放送データ、放送スケジュール等を記憶しているデータベースである。
広告データベース３２５は、コマーシャル等の広告画像、その画像の種別、広告主（スポンサー）のウェブサイトのＵＲＬ（ユニフォーム・リソース・ロケーター）等を記憶しているデータベースである。
ユーザデータベース３３０は、ユーザのＢ−ＣＡＳカードの番号等であるユーザＩＤを記憶するデータベースである。ユーザデータベース３３０は、ユーザＩＤの他にも、ユーザ名、パスワード、ユーザの住所、クレジットカード番号、電話番号等の情報についても記憶することができる。さらに、契約したユーザからの行動履歴データの収集の対価となる「ポイント」を記憶することができる。
【００１４】
〔レコーダ部１０の制御構成〕
次に、図３を参照して、端末１のレコーダ部１０の制御構成について説明する。
レコーダ部１０は、制御部１００（復号化手段）と、主記憶部１１０と、補助記憶部１２０と、ネットワーク接続部１３０と、チューナ部１４０と、画像認識部１５０と、電子番組表部１６０と、履歴抽出部１７０（履歴抽出手段）と、ＧＵＩ部１８０と、広告描画部１８５と、Ｉ／Ｏ部１９０とを主に含んで構成される。
【００１５】
制御部１００は、ＣＰＵ（中央処理装置）、ＭＰＵ（マイクロ・プロセッシング・ユニット）、ＤＳＰ（デジタル・シグナル・プロセッサ）、ＭＰＥＧ／Ｈ．２６４等のコーデックのエンコーダのＡＳＩＣ等を備え、補助記憶部１２０等に記憶されているプログラム等を実行する。また、補助記憶部１２０に記憶された秘密鍵により、電子透かしを復号化する。
主記憶部１１０は、ＤＲＡＭ（ダイナミック・ランダム・アクセス・メモリ）やＳＲＡＭ（スタティック・ランダム・アクセス・メモリ）等であり、補助記憶部１２０から読み出されたプログラムや各種の一時データ等を記憶する。
補助記憶部１２０は、フラッシュメモリやＨＤＤやＲＯＭ（リード・オンリー・メモリー）等の不揮発性の記憶部であり、ユーザが録画した番組の画像、視聴履歴、電子番組表の履歴等のデータを記憶する。また、制御部１００が実行するためのＬｉｎｕｘ（登録商標）等のＯＳ（オペレーティング・システム）やＢＤ／ＤＶＤレコーダ・プログラム等も備えている。さらに、後述するログイン処理で用いる公開鍵を備えている。また、ＷＷＷ（ワールド・ワイド・ウェブ）ウェブサイトを表示するウェブブラウザのプログラムや、ＦＬＡＳＨプレーヤー等のベクトルファイルのプレーヤーや、画像ファイルプレーヤー等の各種プログラムも備えている。ウェブブラウザに関しては、表示部４０に縮小表示した際に視認性がよいような縮小表示機能を備えている。
ネットワーク接続部１３０は、ネットワーク５に接続するための、有線ＬＡＮ、無線ＬＡＮ、電話線、ｃ．ｌｉｎｋ等の端子である。ネットワーク接続部１３０から、一般的なルータ等を介しても、ネットワーク５に接続することができる。
チューナ部１４０は、アンテナ７からの放送電波を受信して、例えばＯＦＤＭ（直交周波数分割多重）変調を行い、ＭＰＥＧ２−ＴＳ（トランスポート・ストリーム）等の放送の画像データを取得して、主記憶部１１０又は補助記憶部１２０に記憶する。
画像描画部１４５は、チューナ部１４０が変調した放送の画像データを描画するＭＰＥＧ／Ｈ．２６４等のコーデックのデコーダー／エンコーダ等である。また、画像描画部１４５は、アスペクト比や空き領域や黒帯について検出することができる。
画像認識部１５０は、放送の画像データから、画像認識を行う部位である。この画像認識に関しては、画像認識部３７と同様である。また、画像認識部１５０は、画像認識を、リアルタイムで行うことが望ましいが、数秒単位といった間隔で実行することも、補助記憶部１２０に記憶されたデータを時間をかけて実行することもできる。
電子番組表部１６０は、ＭＰＥＧ２−ＴＳのＳＩデータ、ネットワーク５のｉＥＰＧ（登録商標）、アナログ放送の所定のチャンネルのＥＰＧデータ等から電子番組表（Ｅｌｅｃｔｒｉｃ  Ｐｒｏｇｒａｍ  Ｇｕｉｄｅ）を取得して、放送のキーワード検索やジャンル別検索等を行う部位である。また、画像から文字認識した文字を、電子番組表のデータから検索することもできる。
履歴抽出部１７０は、ユーザの放送番組の視聴や録画の視聴履歴、ウェブブラウザでＵＲＬを呼び出してｅｃサイトを利用した履歴等であるユーザの行動履歴データを検出する部位である。
ＧＵＩ部１８０は、ユーザが入力部６０を用いて視聴や録画や電子番組表の閲覧等の指示等を行い、その指示を反映させる表示画面を描画するための部位である。また、入力部６０によりユーザが表示された広告の画像を指し示したことを検出して、ウェブブラウザ等を起動することもできる。
広告描画部１８５（特定情報描画手段）は、画像描画部１４５が検出したアスペクト比の変化等を基にして、空き領域に後述する番組に埋め込まれた広告データを抽出して電子透かしをデコードして、広告の表示等を行うための部位である。
Ｉ／Ｏ部１９０は、ＧＰＵ（グラフィック・プロセッシング・ユニット）、画像制御回路、各種Ｉ／Ｏ回路等である。Ｉ／Ｏ部１９０は、放送の画像データやＧＵＩ部１８０により描画された画像データを送信し、赤外線受光部やＵＳＢやＢｌｕｅｔｏｏｔｈ受光部により入力部６０の入力データを受信する。さらに、図示しないＢ−ＣＡＳカードのような個人認証を行うことができるＩＣカード等からの信号を受信することができる。
なお、画像認識部１５０と、電子番組表部１６０と、履歴抽出部１７０と、ＧＵＩ部１８０と、広告描画部１８５等は、補助記憶部１２０に記憶されたプログラムを制御部１００が実行するように構成することもできる。
【００１６】
〔サーバ３による放送の画像データ作成／配信処理〕
次に、図４〜図５を参照して、サーバ３にて、放送番組の画像データを作成して配信を行う放送の画像データ作成／配信処理について説明する。
本発明の実施の形態に係る広告システムにおいては、契約に同意したユーザに向けて、地上デジタル放送や衛星デジタル放送やＩＰ放送等を用いてテレビジョン放送と広告を配信する。そして、このユーザがテレビジョンの番組を視聴するのと同時に後述する行動履歴データを収集し、配信された広告を視聴することをカウントする。ユーザは、これによる対価を「ポイント」等として取得することができる。
ここで、本発明の実施の形態に係る放送の画像データ作成／配信処理においては、ユーザの行動履歴データを収集した上で、視聴パターンを抽出し、最適な広告を検索する行動ターゲティングを行い、最適な広告画像を選択することができる。この行動ターゲティング処理の詳細については後述する。
サーバ３の提供者である番組配信業者は、後述するカウント処理により、ユーザの行動履歴データに従って広告料を得ることができる。また、広告主としてｅｃサイトと連携して、ＵＲＬを送信した分だけそのｅｃサイトから広告料を得るようにすることもできる。
以下で、図４のフローチャートを参照して、より具体的な処理について説明する。
【００１７】
（ステップＳ１０１）
まず、視聴パターン認識部３６は、視聴パターン認識処理を行う。
視聴パターン認識部３６は、後述する視聴カウント処理によりユーザから収集した行動履歴データを、ユーザデータベース３３０から取得する。そして、視聴パターン認識部３６は、この行動履歴データを用いて、行動ターゲティング（Ｂｅｈａｖｉｏｒａｌ  Ｔａｒｇｅｔｉｎｇ）を行う。行動ターゲティングは、Ａｍａｚｏｎ．ｃｏｍ  Ｉｎｔ'ｌ  Ｓａｌｅｓ，  Ｉｎｃ．社のｅｃ（Ｅｌｅｃｔｒｏｎｉｃ  ｃｏｍｍｅｒｃｅ、電子商取引）サイトで用いられて世間に認知された手法であり、ユーザの行動履歴を分析し、各種の属性に相当する商品情報等を表示するための手法である。Ａｍａｚｏｎ社のｅｃサイトでは、行動ターゲティングにより、他のユーザと同じ購買パターンを示す商品を「お勧めの商品」（レコメンド）として示すことができる。
本発明の実施の形態に係る視聴パターン認識処理においては、行動ターゲティングのうち、ルールベース、コンテンツベース、協調フィルタリング等の手法を用いて同様の視聴履歴のパターン（視聴履歴の類似性）を算出する。この算出の際に、ユーザ間の視聴履歴の相関係数を求めたり、ベイジアンネットワークを用いることもできる。
この行動ターゲティングで、ユーザ間の視聴履歴の類似性を検索するためには、視聴履歴のうち、（１）同一の番組を視聴した回数、（２）同一時間帯に番組を視聴した回数、（３）同一ジャンルでの番組を視聴した回数、（４）同一の役者や原作者や脚本家等の番組を視聴した回数、（５）録画して視聴したかリアルタイム視聴か、といった指標を用いることができる。
【００１８】
また、図５を参照すると、行動ターゲティングにおいて、各ユーザ間の視聴パターンを、生物配列の解析（配列解析）の手法を用いて算出することもできる。
ここでは、ユーザ毎に視聴した番組を時系列に並べたものを視聴履歴の配列データとして、このユーザ毎の視聴履歴の配列データ同士の相同性を、ＭＳＰ（極大セグメント対）を求めるローカル・アラインメントと呼ばれる手法で算出する。ローカル・アラインメントは、ＤＰ（動的プログラミング法）等を用いて、局所的な最適な配列の並び（アラインメント）を求める手法であり、生物配列の解析においてはＢＬＡＳＴと呼ばれる手法が用いられている。このような配列解析の手法については、生物配列の統計（甘利俊一、岩波書店、１９９３年刊）等を参照して実装することができる。
ここでは、例えば、１５分毎に、同一チャンネルの同一の番組を視聴していた場合にスコアを「１」を加算するように計算し、同一の役者や原作者や脚本家等の番組の場合は「０．５」を加算するように計算することができる。上述の例では、ユーザＡとユーザＢの相同性のスコアは「５」になる。
この例ではギャップ（各ユーザの視聴時間の差）は考慮していないが、数時間単位でずれると、マイナスのスコアを加算するようにしてもよい。たとえば、２時間以上の間が空くと「−３．０」等を加算等の処理をすることもできる。
このようにして、各日や各週や各月といった所定期間のユーザ毎の視聴履歴の配列データから、ＭＳＰを求めて、最大のスコアとなったもの同士を集める。
この上で、視聴パターン認識部３６は、ユーザ毎の視聴履歴の配列データを、ＵＰＧＭＡ法や隣接結合法やｋ−ｍｅａｎｓ法等のクラスタリング手法を用いてマルチプル・アラインメント（複数配列の並び）を求めて、類似する視聴パターンを発見する。そして、類似する視聴パターンをもつユーザはグループ分けする。
視聴パターン認識部３６は、ユーザ毎に、グループ分けされたグループの番号や最大のスコアとなった他のユーザの番号等についても、ユーザデータベース３３０に記憶する。
【００１９】
（ステップＳ１０２）
次に、広告選択部３４が、ユーザ用広告選択処理を行う。
具体的には、上述の最大のスコアとなった他のグループや他のユーザのユーザ行動履歴データから、ｅｃサイトでの購買履歴、ＵＲＬアクセス履歴等のデータを取得する。
この上で、広告選択部３４は、取得したデータに対応するユーザ用広告を選択する。この関連する広告としては、上述する他のユーザやグループの行動履歴データに関連する商品やサービスについて、関連するウェブサイトをネットワーク５を介してインターネットからキーワード検索等で検索する。また、広告主として連携するｅｃサイトのＵＲＬから、行動履歴データに関連する商品やサービスを検索して選択してもよい。
すなわち、他のユーザやグループがアクセスしていた行動履歴データに係る、ウェブサイト（ウェブサイトのＵＲＬ）や商品やサービス（商品やサービスのＵＲＬ）等をユーザ用広告の広告データとして選択する。
これらのＵＲＬでは、ＨＴＭＬやＦＬＡＳＨ等のファイルを指定しても、静止画や動画画像のファイルを指定してもよい。
また、このＵＲＬに関連するメタタグやＨＴＭＬの文字データ等であるウェブサイトの文字データも、広告データに記憶しておく。
【００２０】
これに加えて、広告選択部３４は、放送番組について、広告データベース３２５から、番組用の広告画像データを選択する。
この番組用の広告画像データは、従来のように広告主のコマーシャル画像を用いることもできる。
しかしながら、深夜帯の番組、広告主がつきにくい番組、特定のスポンサーを持つことができない公共的な放送の番組等では、上述の行動ターゲティングにより、もっともこの時間帯に番組を視聴するグループの行動履歴データ等を用いて最適なコマーシャル画像を広告データベース３２５から選択することができる。
たとえば、深夜に通販番組を視聴するグループが、ダイエット用食品をよく購買していた場合には、広告データベース３２５から、ダイエット商品のコマーシャル画像を選択するのが好適である。
また、この広告画像データの選択では、画像認識部３７により、放送する番組の画像をサーチし、このサーチ結果に含まれる映像の特徴量の情報からコマーシャル画像を選択することもできる。たとえば、画像内に特定の人物や文字が含まれていた場合に、これに関係する企業のコマーシャル画像を選択できる。さらに、電子番組表の番組のジャンル情報や、当該放送時間のＣＭ価格帯等もコマーシャル画像を選択する際に考慮することができる。すなわち、例えば、女優が使っている化粧品や、俳優が乗っている自動車等、番組の内容と関連する広告を表示する。
さらに、広告データベース３２５に好適なコマーシャル画像がない場合には、広告主として提携しているｅｃサイトにより指定された商品を順番に音楽とともに表示するような広告を用いることもできる。
なお、インターネット上のサイトには、放送倫理規定に合致しない広告も存在する。このため、検索エンジンのＵＲＬフィルタリングを利用したり、自然言語処理により複数の「ＮＧ」ワードを指定したりして、放送倫理規定に合わない広告のＵＲＬは選択しないようにする。また、放送時間帯により、この検索エンジン側のＵＲＬフィルタリングの設定をし直すことも可能である。
この番組用の広告画像データには、データ放送用のデータ等に、選択したサイトや商品へのＵＲＬと、ＵＲＬに対応するウェブサイトの文字データを文字放送データとして入れる。さらに、この広告画像データの選択したサイトや商品へのＵＲＬは、電子番組表のデータとしても送信する。これにより、端末１以外のテレビジョン受信機を用いた場合でも、文字放送等ですぐに追加情報を引き出すことができる。
【００２１】
（ステップＳ１０３）
次に、放送画像作成部３２は、放送画像作成処理を行う。
具体的には、放送画像作成部３２は、番組の画像データと、番組用の広告画像と、電子透かしに埋め込まれた広告データとを合わせたデータとして放送の画像データを作成する。
より詳しく説明すると、まず、放送画像作成部３２は、放送スケジュールに従って、コンテンツデータベース３２０から番組の画像データを取得する。この画像データは、放送局用のフォーマットやＲＡＷフォーマット等で記憶されているが、アスペクト比は１６：９や４：３や他の解像度が混在していてもよい。
そして、放送画像作成部３２は、上述の選択された広告画像データを、コマーシャルが挿入される所定のスケジュールで挿入する。この広告画像データに関しても、アスペクト比は任意である。
この上で、放送画像作成部３２は、通常のテレビジョン受信機のアスペクト比、たとえば１６：９とはアスペクト比が異なる領域の空き領域や黒帯の部分に、電子透かしを用いて、広告のデータを埋め込む。また、オーバースキャンの予備領域として例えば画像の左右に黒帯状に表示される空き領域に広告のデータを挿入することもできる。
電子透かしに埋め込む広告のデータとしては、各ユーザのＩＤと各ユーザ用の広告のＵＲＬを公開鍵により暗号化して入れることが可能である。この際に、各ユーザの行動履歴データから、その番組を視聴しそうなユーザから優先的に電子透かしに埋め込む。
この電子透かしは、数ビット分の階調の変化のような状態で挿入されるため、契約していないユーザのテレビジョン装置で表示した場合にも、暗部のノイズのようにしか知覚されない。
【００２２】
ここで、契約するユーザが多すぎて、ユーザ毎の広告のデータを送信するのが放送の帯域的に難しい場合は、別の番組の時間帯に分散して送信することができる。この場合は、広告のデータに広告のデータを表示する時間帯についても埋め込むことが好適である。そして、端末１では、受信した広告のデータを用いて、番組の視聴時の時間帯になったときに、広告のデータを表示する。
また、深夜／早朝など、通常の番組の放送が行われていない時間帯に、まとめて広告のデータを送信することもできる。
さらに、サーバ３から直接広告のデータを送信することも可能である。この広告のデータは後述するログイン処理時に各ユーザが取得するようにしてもよい。さらに、所定の時間帯、たとえば放送機器のメンテナンスの時間帯や、衛星放送の場合は地球と太陽の位置関係による「食」の時間帯に、サーバ３からダウンロードするようにすることもできる。
さらに、広告のデータは、記憶媒体（フラッシュメモリカードや光学記憶媒体）等から供給することもできる。このため、契約したユーザに、郵送等により記憶媒体を直接届けるようにすることもできる。
【００２３】
なお、上述の電子透かしは、当然、放送の画像データそのものに埋め込むことも可能である。この場合は、画像のアスペクト比や空き領域の箇所を考慮しなくてもよいという効果が得られる。
また、放送の画像のビットレートが規定のビットレートより低い場合には、データ放送用のデータやＳＩ情報（電子番組表の情報）等に公開鍵で暗号化した上で埋め込むことも可能である。これにより、放送の画像データにまったく影響を与えることなく、広告を配信することができるという効果が得られる。
さらに、コマーシャルの音声データに電子透かしで広告のデータを埋め込むことも可能である。この場合は、コマーシャルの音声のトラックを別音声（トラック）で流すか、ミックスダウンして流すかを選択する。
また、電子透かしに入れる各ユーザのＩＤや各ユーザ用の広告のＵＲＬに関しては、各ユーザがログイン後にサーバ３から取得するように構成することもできる。この場合は、グループ毎の広告のデータのみを送信するようにすることができる。これにより、データを圧縮することが可能である。
加えて、電子透かしによらず、サーバ３にログイン後に広告を送信するようにすることも可能である。また、グループ毎に同一の広告のＵＲＬを配信する場合は、図示しないプロキシサーバを経由し、ネットワーク負荷を減らして送信することもできる。
【００２４】
（ステップＳ１０４）
次に、ゲートウェイ部３１は、配信処理を行う。
具体的には、ゲートウェイ部３１は、放送画像作成処理により作成された放送の画像データを、放送スケジュールに従って、放送配信装置６に配信する。
また、上述したようにＩＰ放送を行う場合は、ゲートウェイ部３１は、直接、放送の画像データをネットワーク５に送信することができる。
以上により、放送の画像データ作成／配信処理を終了する。
【００２５】
〔端末１による視聴処理〕
次に、図６を参照して端末１で契約したユーザが実際に放送番組を受信して広告とともに視聴する視聴処理について説明する。
近年、デジタル放送のテレビジョン受信機には、インターネット接続機能（ウェブブラウザ）が搭載されているのが当たり前になってきている。
また、近年のユーザの視聴形態として、例えばテレビ画面を表示しながら、ＰＣを使用したり食事をしたりといった「ながら視聴」がよく行われている。つまり、番組を視ながら、他の広告等について注目をさせることが可能である。
このために、本発明の実施の形態に係る視聴処理においては、「ながら視聴」を前提として、アスペクト比の異なる画像の黒帯部分に各ユーザに適合した広告を表示する。
以下の処理では、ユーザの視聴を電子番組表により録画して視聴する場合について説明する。しかし、チャンネルのザッピング等によりリアルタイムで視聴した場合にも、その視聴履歴を記憶することに変わりはなく、同様の処理を用いることができる。
【００２６】
（ステップＳ２０１）
まず、端末１の電源がユーザによりオンにされると、レコーダ部１０の制御部１００はログイン処理を行う。
このログイン処理においては、ネットワーク接続部１３０を介して、ネットワーク５に接続できるかチェックする。
ネットワーク５に接続できる状態であった場合は、制御部１００は、処理をステップＳ２０２に進める。
ネットワーク５に接続できなかった場合は、制御部１００は、その旨の警告を表示部４０に表示して、ネットワークの設定を行うようにユーザに促して、視聴処理を停止する。
なお、この視聴処理を停止した状態でも、通常のチャンネル選択によりユーザが放送番組を視聴し、視聴履歴を補助記憶部に記憶することもできる。
また、このログイン処理の際に、ログインしたユーザ個人のＩＤ、ＵＲＬのデータ、放送時間帯等の広告のデータを、サーバ３から受信してもよい。この場合は、広告のデータや補助記憶部１２０や、Ｉ／Ｏ部１９０と接続しているフラッシュメモリカード等に記憶してもよい。
【００２７】
（ステップＳ２０２）
ここで、ユーザが電子番組表機能を呼び出す指示を行ったことを検知すると、電子番組表部１６０は、電子番組表処理を行う。
図７を参照すると、ユーザがＧＵＩ部１８０を用いて入力部６０によりカーソル４５０を移動させた状態を示す。カーソル４５０は「バラエティー」番組を選択している。
ここで、電子番組表部１６０は電子番組表の文字情報を参照し、カーソル４５０で選択された番組に対応した広告画像データ選択したサイトや商品へのＵＲＬに、ネットワーク接続部１３０からネットワーク５を介してアクセスする。そして、このＵＲＬのサイトをブラウザを用いて表示する。広告画面４２０は、このブラウザの表示画面例である。
【００２８】
また、電子番組表部１６０は同じ電子番組表の文字情報から、キーワード検索を行ってウェブサイトを広告画面として表示することもできる。
広告画面４３０は、「バラエティー」の出演者の名前でキーワード検索を行って得たＵＲＬのウェブサイトをウェブブラウザで表示した例である。この場合は、ブログ（ウェブログ）の表示を行っている。
このキーワード検索としては、提携するｅｃサイトや、提携するキーワード検索の企業のウェブサイトでキーワード検索を行って、アフィリエイト広告やアドセンス広告等に対応したウェブサイトを選択することが好適である。
【００２９】
ここで、カーソル４５０は、広告画面４２０や広告画面４３０に移動させることも可能である。
実際に、ユーザの指示により広告画面４２０又は広告画面４３０が移動されると、電子番組表部１６０は、ブラウザの画面を大きくオーバーレイ表示や全画面表示等をして表示する。
電子番組表部１６０は、ユーザによるこのアクセスを補助記憶部１２０に記憶する。
【００３０】
また、電子番組表部１６０は、ユーザが電子番組表により録画／視聴予約した場合には、この予約情報について補助記憶部１２０に記憶する。
予約時間がくると、制御部１００より、チューナ部１４０から受信した放送の画像データを補助記憶部１２０に記憶する。
さらに、電子番組表部１６０は、ユーザが視聴を行わずに、録画されたデータを削除した場合についても、補助記憶部１２０に記憶することができる。
【００３１】
（ステップＳ２０３）
次に、ユーザが入力部６０によりＧＵＩ部１８０を用いて、チャンネルを選択したり、録画されたデータを視聴したりするように選択すると、制御部１００は、視聴処理を行う。
この視聴処理においては、契約したユーザが使用する端末１においては、アスペクト比が異なる番組や広告の画像データを上下左右に寄せて、空いた箇所に広告を表示する。
このため、制御部１００は、画像描画部１４５によりコンテンツのアスペクト比と空き領域を検知して、空き領域に電子透かしデータが入っているかどうかを検知する。
ここで、制御部１００は、電子透かしが入っていることを検知すると、これを補助記憶部１２０に記憶した秘密鍵により復号化して、広告のデータを得る。
そして、この復号化された広告のデータに視聴している端末１のＩＤが含まれている場合には、広告描画部１８５を用いて広告のデータを、ＵＲＬ自体を文字表示、ウェブブラウザによりＵＲＬのウェブサイトのＨＴＭＬや画像のファイル等として、画面の空いた箇所に表示する。また、番組の時間帯を指定して、放送電波又はネットワーク５経由で送信されていた広告のデータについても、指定された時間帯に表示する。
【００３２】
図８を参照すると、例えば、４：３の番組の画像データを１０８０ｉにアップ・コンバートして放送する場合は、この画像データを左に寄せて表示して、空いた領域に広告の画像データを表示した例について示す。ここでは更に、画像描画部１４５により、４：３の番組の画像データを少し縮小して、上下にも画面上の空き領域を作成している。
放送画面５００は、画像描画部１４５により表示されている放送の画像データである。
ＵＲＬ５１０は、広告のデータに含まれていた、視聴しているユーザのＩＤに対応したＵＲＬである。また、ＵＲＬ５１１のように、番組の文字情報データや電子番組表データに含まれていたＵＲＬを表示することもできる。なお、ここでは、ＵＲＬ５１０とＵＲＬ５１１とは、ＵＲＬのみを表示するようにしたが、ＵＲＬとウェブサイトの文字データをスクロール表示することも可能である。
ここで、カーソル５５０は、入力部６０により入力されたユーザの指示を検知して、ＧＵＩ部１８０に移動している。ここで、入力部６０のボタンの押下等を検知すると、ウェブブラウザを起動して、このウェブサイトにアクセスすることができる。このウェブサイトをアクセスしたことに関しても、制御部１００は補助記憶部１２０に行動履歴データ用に記憶する。
【００３３】
また、上述の電子番組表処理と同様に、ユーザ用の広告データに含まれているＵＲＬのサイトをブラウザを用いて広告画面５３０のように表示することもできる。
また、文字放送のデータを用いてキーワード検索をすることも当然可能である。このキーワード検索されたウェブサイトをウェブサイトで画面表示した例を、広告画面５２０として示す。この画面表示を行っている場合、制御部１００は補助記憶部１２０に行動履歴データ用に記憶する。
また、表示したＵＲＬや広告画面は、リモコンのボタン一発で、メモとして保存することができる。これを追いかけ再生や録画した番組を再生した際に、そのメモを基にすぐにウェブブラウザでアクセス可能である。このアクセスのデータについても記憶する。
【００３４】
これに加えて、画像認識部１５０を用いて画像認識を行って、この結果を基にキーワード検索を行うこともできる。そして、ユーザがリモコンのボタンを押すことでウェブブラウザにてすぐに検索結果を広告画面として表示することができる。このキーワード検索されたウェブサイトのＵＲＬ等については、制御部１００が補助記憶部１２０に記憶する。
なお、画像認識部１５０は、ユーザが番組を視聴している間に、バックグラウンドでこの画像認識処理を行って、結果をサーバ３に送信してもよい。サーバ３の視聴パターン認識部３６は、この結果を記憶する。
【００３５】
広告のデータは複数用意されており、広告画面、ＵＲＬ、ウェブサイトの文字データを、所定時間で、順次、異なるものを描画してゆくようにすることができる。この際に、トランジションのような視聴効果を用いて、ユーザの番組の視聴を妨げないようにすることができる。また、番組とコマーシャル画像の間でアスペクト比が変化した際にも、広告のデータの描画をし直すことができる。
また、広告のデータが表示されている間、制御部１００は視聴履歴を補助記憶部１２０に記憶する。
さらに、制御部１００は、広告のデータが表示されている間、チャンネルを変更させなくすることができる。視聴中、ずっと広告を流すことができるので、広告の効率が向上する。
また、制御部１００は、ユーザが視聴していることを、リアルタイムでサーバ３に送信するようにしてもよい。
【００３６】
ここで、制御部１００は、ユーザが視聴処理を終了したことを検知した場合には、次のステップに処理を進める。
この際に、制御部１００は、行動履歴データの記憶を中止する。
【００３７】
（ステップＳ２０４）
次に、ユーザが視聴を終了したことを検知すると、履歴抽出部１７０は、視聴カウント処理を行う。
具体的には、履歴抽出部１７０は、上述の電子番組表処理や視聴処理で補助記憶部１２０に記憶されている、視聴履歴、ユーザが電子番組表に指示した履歴、電子番組表を用いて録画した番組のデータを視聴したか／削除したかについての履歴、ＵＲＬアクセス履歴、ｅｃサイトでの購買履歴等を用いて、行動履歴データを抽出する。
この上で、履歴抽出部１７０は、公開鍵を用いて、ユーザを特定するユーザＩＤ（Ｉｄｅｎｔｉｆｉｃａｔｉｏｎ）を暗号化して、ネットワーク接続部１３０からネットワーク５を介してサーバ３へ送信する。このユーザＩＤとしては、端末１に接続されているＢ−ＣＡＳカードの固有の番号であるＢ−ＣＡＳカード番号等を用いることができる。
サーバ３のゲートウェイ部３１は、このユーザＩＤを受けとると、ユーザ認証部３３に送信する。
ユーザ認証部３３は、秘密鍵により暗号化されたユーザＩＤを復号化し、ユーザデータベース３３０の該当ＩＤを参照してユーザ認証を行い、ゲートウェイ部３１に通知する。
ゲートウェイ部３１は、ユーザ認証の結果をネットワーク５を介して端末１へ送信する。
端末１のレコーダ部１０のネットワーク接続部１３０は、このユーザ認証の結果を受信すると、履歴抽出部１７０に通知する。
履歴抽出部１７０は、ユーザ認証の結果がＯＫであれば、補助記憶部１２０に記憶されているユーザの行動履歴データを、ネットワーク接続部１３０からネットワーク５を介してサーバ３に送信する。
【００３８】
サーバ３のゲートウェイ部３１は、ユーザの行動履歴データを受信すると、この行動履歴データを視聴カウント部３５に送信する。
視聴カウント部３５は、行動履歴データに従って、ユーザの視聴やＵＲＬアクセスの対価である「ポイント」の値を計算して、ユーザデータベース３３０に記憶する。サーバ３の提供者である放送事業者や広告主は、所定の期間（例えば、１月）で、ユーザに対してポイントに応じた入金をすることができる。また、ユーザは、ポイントにより提携しているｅｃサイトで購買すること等も可能である。
さらに、視聴カウント部３５は、サーバ３の提供者である番組配信業者が広告主から受けとるための広告料についても計算する。
この広告料としては、ユーザが実際にテレビのウェブブラウザで、当該広告のＵＲＬをクリックすると、広告料を増額するように設定することもできる。さらに、提携しているｅｃサイトにアクセスした際に、アドセンス広告の料金を増やすように設定することも可能である。逆に、ユーザがＵＲＬとウェブサイトの文字データを見ただけのものに関しては、配信料のみ計算するようにすることもできる。
【００３９】
視聴カウント部３５は、計算したポイントの値について、ゲートウェイ部３１に送信する。
ゲートウェイ部３１は、計算したポイントの値を、ネットワーク５を介して、端末１に送信する。
レコーダ部１０の制御部１００は、ポイントの値を受信して、補助記憶部１２０に記憶する。ユーザは、ＧＵＩ部１８０により、このポイントの値をいつでも確認可能であり、ウェブブラウザを起動して、提携しているｅｃサイトにより使用することができる。
以上により、端末１による視聴処理を終了する。
【００４０】
なお、「ポイント」の計算については、端末１の制御部１００で計算することも可能である。この場合は、制御部１００は、行動履歴データが改ざんされないように、上述のＩ／Ｏ部１９０に接続されたフラッシュメモリカード等の記憶媒体に記憶することも可能である。この記憶媒体のデータを、ネットワーク５経由で送信するか、記憶媒体を郵送で送信する。
【００４１】
以上のように構成することで、以下のような効果が得られる。
我が国の地上デジタル放送の場合は、ＨＤ解像度でも実際の解像度は１４４０×１０８０ｄｏｔを１０８０ｉに引き延ばして表示している。また、放送番組等のコンテンツはＨＤ解像度で表示するものの、コマーシャルの部分では縦横比が４：３の４８０ｉ（７２０×４８０ｄｏｔ）のＳＤ解像度で表示するものも存在する。さらに、元々はＳＤ解像度のコンテンツをＨＤ解像度に変換（アップコンバージョン）して送信しているものも存在する。また、映画等のコンテンツでは、シネスコサイズやビスタサイズといった、映画館のスクリーンに合わせた特殊な縦横比で製作されていることがある。
しかし、１６：９とはアスペクト比が異なるコンテンツを、１６：９のテレビジョン等の映像表示装置に表示した場合、縦横比が異なる箇所の画像が表示されない領域（空き領域）は、「黒帯」と呼ばれて、黒く表示されていた。
また、ＰＣ用ＷＵＸＧＡ（１９２０×１２００ｐｉｘｅｌ）に１０８０ｉ（１９２０×１０８０ｐｉｘｅｌ）画像を表示した際の空き領域も、黒く表示されていた。
この黒く表示される空き領域については、従来の自発光型の表示装置、例えばブラウン管表示装置、ＰＤＰ（プラズマ・ディスプレイ・パネル）、有機ＥＬパネル等では、部分的な光量の経年劣化の度合いが異なってくる。よって、長年表示していると、いわゆる「焼き付き」と呼ばれる光量のムラができてしまうという問題点があった。
このため、この空き領域に何らかの表示を行うことが求められていた。
しかしながら、従来技術１の情報配信装置は、アスペクト比の異なる空き領域については考慮していなかった。このため、アスペクト比が違う番組の空き領域にインターネットへのリンクを表示することはできず、単純に番組の画面を縮小して表示するため、視認性が悪くなるという問題があった。
【００４２】
これに対して、本発明の実施の形態に係る広告システムＸにおいては、広告をアスペクト比が異なる画像の空き部分に同時に表示することもできる。このために、契約したユーザである視聴者の視界の邪魔をせず、視認性がよくなるという効果が得られる。
また、電子透かしを用いて放送するために、契約をしていないユーザの普通のテレビジョン放送では、暗部の微妙なざわめき程度にしか感じられないために通常の放送を見る際には問題なく用いることができる。
さらに、ＰＣ用ディスプレイは、１９２０×１２００ｄｏｔ等のＷＵＸＧＡ解像度で１６：１０の比率のものがあり、１０８０ｉを表示した場合は必ず上下に空き領域ができていた。ここにＵＲＬ等の広告の情報を描画することができる。
また、これまでは無駄なデータであった画像データの空き領域に、既存の地上デジタル放送の規格の範囲内で独自コンテンツを送信できる。
また、画面の空き領域に広告を表示することで、有機ＥＬやＰＤＰ等の自発光のディスプレイ・パネルで「焼き付き」を防止することができる。
また、テレビの録画の横に必ず広告を入れ込んで放送するために、必ず広告も一緒にコピーされるため、再エンコードなしでコピーさせる場合は、コピーワンス／ダビング１０等ではないコピー制御を選択させるようにすることができる。
【００４３】
また、従来技術１の情報配信装置は、ユーザ個人に対応する広告を配信することはできなかった。
これに対して、本発明の実施の形態に係る広告システムＸにおいては、ユーザＩＤに対応した広告情報を電子透かしにより配信することで、ユーザ個人に対応する広告を配信することができる。
さらに、ユーザの視聴履歴を含む行動履歴データを基に行動ターゲティングを行うことで、より効率的な広告を配信可能である。
この行動ターゲティングにおいては、配列解析の手法を用いて視聴履歴から類似のパターンを検索することで、精度の高い行動ターゲティングができる。
【００４４】
また、番組配信業者、広告主は、視聴者が広告を見たという情報を欲しがっていた。
これに対して、本発明の実施の形態に係る広告システムＸにおいては、ユーザが、テレビのウェブブラウザで、当該広告のＵＲＬに簡単にアクセスでき、ユーザがアクセスした行動履歴データをサーバ３に伝えることができる。これにより、マーケッティングと、広告の実効性に関する情報を得ることができる。
これにより番組配信業者は、また、新たな広告手段が得られる。ユーザがＵＲＬ等にアクセスすると、その分、アドセンス広告の料金を増やしてもらうこともできる。
よって、これまでのテレビ局による番組の提供に応じた広告から、インターネット広告のようなボトムアップ型の広告を提供できる。
【００４５】
また、従来のテレビのコマーシャルは、直接視聴時以外にあまり利用されていないという問題があった。このため、ネット広告のような柔軟な広告よりも効率が低かった。
一方、電子番組表の情報を基に録画を行うユーザの行動様式は、インターネット広告をクリックするユーザに近いものがあるものの、ユーザのこのような行動を生かし切れなかった。
これに対して、本発明の実施の形態に係る広告システムＸにおいては、番組配信を行うと同時に、契約を行っているユーザに向けて、１０８０ｉ等の地上デジタルハイビジョン放送等の既存の放送画像の空き領域となる部分に電子透かし技術で、広告に関する特定情報を入れて送信する。
これにより、現在のテレビジョン放送のシステムを活かしたまま、特定のユーザ用の広告を配信することができる。
また、ユーザは、番組を視聴していて広告の情報にすばやくアクセスでき、購買もできる。さらに、ユーザは、広告を見ることで、経済的な恩恵を得られる。
【００４６】
また、従来、深夜帯の番組、広告主がつきにくい番組では、広告の価格が安く抑えられていた。また地方局では、広告は単純なものを繰り返し流すだけになりがちだった。また、コミュニティ用のテレビやＣＡＴＶ等では、機器の償還を行うためには、広告費で回収する必要があるが、そもそも広告主を取得することが難しかった。さらに、特定のスポンサーをもつことは避けるべきである公共的な放送では、中立的な広告主を得ることが難しかった。
加えて、従来、端末側で画像検索を行って広告のクエリーを行うシステムはあったが、サーバ側で画像検索を行って広告を配信してそれを表示するものはなかった。
これに対して、本発明の実施の形態に係る広告システムＸにおいては、番組の画像に近い広告を画像検索で選んで放送することができる。そして、放送局で放送する放送番組に、ネット上からアドセンス広告を表示して加えることができる。
すなわち、サーバ３では、主に視聴履歴を取得する契約を結んだ視聴者であるユーザ向けに、番組の特徴に即した中立的な広告主の広告をユーザの特性に合わせて送信することができる。
このために、広告システムＸは、放送局の深夜帯の番組や広告主がつきにくい番組、地方局コミュニティ用のテレビやＣＡＴＶの番組、特定のスポンサーをもつことは避けるべきである公共的な放送の番組等に用いることができ、広告の効率を高めることができる。また、広告システムＸは、スポンサーを限定せずに、商品の広告を提供できる。
さらに、電子番組表データに行動ターゲティングを行って、同じ視聴パターンをもつユーザ向けに通常の放送の文字データ等にも広告を入れて送信する。このために、広告の実効性がさらに高まるという効果が得られる。
【００４７】
なお、本発明の実施の形態に係る広告システムＸは、主に広告の配信について説明したが、特定情報として、広告以外のものを同様な仕組みで放送の画像データに入れ込むこともできる。
たとえば、特定のユーザ用に、レコーダ部１０で実行するソフトウェア等を配信することも考えられる。
レコーダ部１０は、ＪＡＶＡ（登録商標）等を実行可能であるので、このソフトウェアにより、レコーダ部１０に新たなインタラクティブ機能を付加することができ、また、ユーザがゲーム等で遊ぶことも可能である。
また、特定情報として、医療用の情報等を埋め込むことも可能である。これにより、例えば、契約した高齢者が、テレビジョン受信機を見ていると「今日は検査の日です」等と表示して、病院に行くことを促すこともできる。また、料理番組等で、メタボリック・シンドロームのユーザに対しては、カロリーが少なめのレシピを追加で紹介することも可能である。
【００４８】
なお、上記実施の形態の構成及び動作は例であって、本発明の趣旨を逸脱しない範囲で適宜変更して実行することができることは言うまでもない。
【図面の簡単な説明】
【００４９】
【図１】本発明の実施の形態に係る広告システムＸのシステム構成図である。
【図２】本発明の実施の形態に係るサーバ３の制御構成を示すブロック図である。
【図３】本発明の実施の形態に係るレコーダ部の制御構成を示すブロック図である。
【図４】本発明の実施の形態に係るサーバ３による放送の画像データ作成／配信処理処理のフローチャートである。
【図５】本発明の実施の形態に係るユーザ間の視聴パターンを配列解析で算出する概念図である。
【図６】本発明の実施の形態に係る端末１による視聴処理のフローチャートである。
【図７】本発明の実施の形態に係る電子番組表処理の概念図である。
【図８】本発明の実施の形態に係る視聴処理の概念図である。
【符号の説明】
【００５０】
１  端末
３  サーバ
５  ネットワーク
６  放送配信装置
７  アンテナ
１０  レコーダ部
３１  ゲートウェイ部
３２  放送画像作成部
３３  ユーザ認証部
３４  広告選択部
３５  視聴カウント部
３６  視聴パターン認識部
３７、１５０  画像認識部
４０  表示部
６０  入力部
１００  制御部
１１０  主記憶部
１２０  補助記憶部
１３０  ネットワーク接続部
１４０  チューナ部
１４５  画像描画部
１６０  電子番組表部
１７０  履歴抽出部
１８０  ＧＵＩ部
１８５  広告描画部
１９０  Ｉ／Ｏ部
３２０  コンテンツデータベース
３２５  広告データベース
３３０  ユーザデータベース
４５０、５５０  カーソル
４２０、４３０、５２０、５３０  広告画面
５００  放送画面
５１０、５１１  ＵＲＬ
Ｘ  広告システム
【図１】
2010050549.tif 000003
【図２】
2010050549.tif 000004
【図３】
2010050549.tif 000005
【図４】
2010050549.tif 000006
【図５】
2010050549.tif 000007
【図６】
2010050549.tif 000008
【図７】
2010050549.tif 000009
【図８】
2010050549.tif 000010